(57)【要約】【課題】レンズ駆動装置の簡素化、小型化等を図る。【解決手段】光軸方向Ｌに配列された第１レンズ群４０及び第２レンズ群５０、第１レンズ群４０及び第２レンズ群５０を光軸方向Ｌにガイドするガイドシャフト３１，３２、第１レンズ群４０及び第２レンズ群５０を光軸方向Ｌにおいて相対的に移動させる駆動手段を備え、駆動手段として、第２レンズ群５０が光軸方向Ｌに移動する際に、第１レンズ群４０を第２レンズ群５０に間欠的に追随させて連動させる間欠連動機構（第１長孔２２，第２長孔２３，第１挿入片４４，第２挿入片５４，連動片５６，操作片５７，コイルスプリング７０）を採用した。これにより、第１レンズ群４０及び第２レンズ群５０は光軸方向Ｌにおいて相対的に移動してズーミングを行うことができ、構造の簡素化、小型化を達成できる。【選択図】図２
2007264528.tif 000002
【特許請求の範囲】
【請求項１】
光軸方向に配列された少なくとも二つの第１レンズ群及び第２レンズ群と、前記第１レンズ群及び第２レンズ群を光軸方向にガイドするガイド機構と、前記第１レンズ群及び第２レンズ群を光軸方向において相対的に移動させる駆動手段、を備えたレンズ駆動装置であって、
前記駆動手段は、前記第２レンズ群が光軸方向に移動する際に、前記第１レンズ群を前記第２レンズ群に間欠的に追随させて連動させる間欠連動機構を含む、
ことを特徴とするレンズ駆動装置。
【請求項２】
前記間欠連動機構は、光軸方向において前記第１レンズ群及び第２レンズ群をお互いに離隔させる方向に付勢力を及ぼすスプリングと、前記第１レンズ群のストロークを所定範囲に規制する第１規制部と、前記第１レンズ群のストロークよりも長い範囲で前記第２レンズ群のストロークを規制する第２規制部と、前記第２レンズ群のストロークの途中において前記第１レンズ群に係合して連動させるべく前記第２レンズ群に設けられた連動片と、前記第２レンズ群に光軸方向の駆動力を及ぼす駆動部と、を含む、
ことを特徴とする請求項１記載のレンズ駆動装置。
【請求項３】
前記第１レンズ群及び第２レンズ群を収容するハウジングを含み、
前記ハウジングは、前記第１規制部を画定するべく光軸方向に伸長する第１長孔と、前記第２規制部を画定するべく光軸方向に伸長する第２長孔と、を含み、
前記第１レンズ群は、前記第１長孔に挿通される第１挿入片を有し、
前記第２レンズ群は、前記第２長孔に挿入される第２挿入片を有する、
ことを特徴とする請求項２記載のレンズ駆動装置。
【請求項４】
前記駆動部は、手動により光軸方向に駆動力が及ぼされる操作片として形成され、
前記第２挿入片は、前記ハウジングの外部に突出して前記操作片を兼ねるように形成されている、
ことを特徴とする請求項３記載のレンズ駆動装置。
【請求項５】
前記連動片は、前記ハウジングの内側において前記第１挿入片の一部に対して係合及び離脱するように形成されている、
ことを特徴とする請求項３又は４に記載のレンズ駆動装置。
【請求項６】
前記連動片は、前記第２レンズ群が光軸方向の一方に向けて移動する際に途中から前記第１挿入片に係合して前記第１レンズ群を連動させ、前記第２レンズ群が光軸方向の他方に向けて移動する際に前記第１規制部により前記第１レンズ群が規制されて停止した時点で前記第１挿入片から離脱するように形成されている、
ことを特徴とする請求項３ないし５いずれかに記載のレンズ駆動装置。
【発明の詳細な説明】
【技術分野】
【０００１】
本発明は、光軸方向に配列された複数のレンズ群を相対的に駆動するレンズ駆動装置に関し、特に、携帯電話機、携帯型音楽プレーヤ、携帯型パーソナルコンピュータ等に搭載されるモバイルカメラに適用されるレンズ駆動装置に関する。
【背景技術】
【０００２】
複数のレンズ群を相対的に駆動する従来のレンズ駆動装置としては、各レンズ群のレンズを保持するレンズ枠、複数のレンズ枠を内側に収容すると共に正逆回転によりレンズ枠に光軸方向へのカム作用を及ぼすカム溝をもつ回転筒、回転筒を保持する固定筒、レンズ枠の回転を規制しつつ光軸方向への移動を許容するキー筒、回転筒を回転駆動する駆動源等を備え、駆動源により回転筒を回転させることにより、複数のレンズ群を光軸方向に相対的に移動させて広角〜望遠のズーミングを行わせるようにしたものが知られている（例えば、特許文献１参照）。
また、携帯電話機等に搭載されているモバイルカメラにおいては、レンズ光学系を移動させるのではなく、ＣＣＤ等の撮像素子により撮影された画像を電子的にズーミング（電子ズーム）することにより、画角を変える手法が採用されている。
【０００３】
しかしながら、従来のようなレンズ駆動装置においては、部品点数が多く、機構も複雑であり、小型化には限界があり、特に小型化が要求される携帯電話機等に搭載するのは困難であった。
また、電子ズームは、撮影画像を拡大することで見かけ上の画角を変化させるものであるため、特に画像を拡大すると、画像の品質が劣化し、その拡大率には限界があった。
【特許文献１】特開２００３−１３１１１１号公報
【発明の開示】
【発明が解決しようとする課題】
【０００４】
本発明には、上記従来技術の問題点に鑑みて成されたものであり、その目的とするところは、構造の簡素化、部品点数の削減、低コスト化、小型化等を図りつつ、ズーミングを行っても高画質の画像が得られ、特に、携帯電話機、携帯型音楽プレーヤ、携帯型パーソナルコンピュータ等に搭載されるレンズ駆動装置を提供することにある。
【課題を解決するための手段】
【０００５】
本発明のレンズ駆動装置は、光軸方向に配列された少なくとも二つの第１レンズ群及び第２レンズ群と、第１レンズ群及び第２レンズ群を光軸方向にガイドするガイド機構と、第１レンズ群及び第２レンズ群を光軸方向において相対的に移動させる駆動手段、を備えたレンズ駆動装置であって、上記駆動手段は、第２レンズ群が光軸方向に移動する際に、第１レンズ群を第２レンズ群に間欠的に追随させて連動させる間欠連動機構を含む、ことを特徴としている。
この構成によれば、第２レンズ群がガイド機構に案内されて光軸方向に移動するとき、第１レンズ群は、ガイド機構に案内されつつ、間欠連動機構により第２レンズ群に追随して移動し又所定のストローク領域では連動を止めて停止する。
これにより、第１レンズ群及び第２レンズ群は光軸方向において相対的に移動させられることなり、例えば、第１レンズ群及び第２レンズ群を広角端及び望遠端に移動させることができる。
【０００６】
上記構成において、間欠連動機構は、光軸方向において第１レンズ群及び第２レンズ群をお互いに離隔させる方向に付勢力を及ぼすスプリングと、第１レンズ群のストロークを所定範囲に規制する第１規制部と、第１レンズ群のストロークよりも長い範囲で第２レンズ群のストロークを規制する第２規制部と、第２レンズ群のストロークの途中において第１レンズ群に係合して連動させるべく第２レンズ群に設けられた連動片と、第２レンズ群に光軸方向の駆動力を及ぼす駆動部と、を含む、構成を採用することができる。
この構成によれば、第１レンズ群は第１規制部により規制される範囲内で光軸方向に移動し、第２レンズ群は第２規制部により規制される範囲内で光軸方向に移動し、第１レンズ群と第２レンズ群はスプリングによりお互いに離隔する方向に付勢されている。
そして、駆動部に及ぼされる駆動力により、第２レンズ群が一方向に移動するとき、その途中から連動片が第１レンズ群に係合して、第１レンズ群は第２レンズ群に連動して移動する。
このように、間欠連動機構を簡単な構造にしたことにより、部品点数を削減でき、装置の簡素化、小型化、低コスト化等を達成することができる。
【０００７】
上記構成において、第１レンズ群及び第２レンズ群を収容するハウジングを含み、ハウジングは、第１規制部を画定するべく光軸方向に伸長する第１長孔及び第２規制部を画定するべく光軸方向に伸長する第２長孔を含み、第１レンズ群は、第１長孔に挿通される第１挿入片を有し、第２レンズ群は、第２長孔に挿入される第２挿入片を有する、構成を採用することができる。
この構成によれば、第１規制部及び第２規制部として、特別の部材を設けるのではなく、ハウジングに開けた長孔（第１長孔、第２長孔）を採用し、これら長孔に挿入される挿入片（第１挿入片、第２挿入片）を採用したことにより、部品点数を削減して、構造をより簡素化できる。
【０００８】
上記構成において、駆動部は、手動により光軸方向に駆動力が及ぼされる操作片として形成され、第２挿入片は、ハウジングの外部に突出して操作片を兼ねるように形成されている、構成を採用することができる。
この構成によれば、第２挿入片が、ハウジングから突出するように長めに形成されて手動用の操作片を兼ねるため、構造を簡素化でき、装置を小型化することができる。
【０００９】
上記構成において、連動片は、ハウジングの内側において第１挿入片の一部に対して係合及び離脱するように形成されている、構成を採用することができる。
この構成によれば、連動片が係合する第１レンズ群の被係合片として、第１挿入片が兼用されているため、専用の被係合片を設ける場合に比べて、構造を簡素化でき、装置を小型化することができる。
【００１０】
上記構成において、連動片は、第２レンズ群が光軸方向の一方に向けて移動する際に途中から第１挿入片に係合して第１レンズ群を連動させ、第２レンズ群が光軸方向の他方に向けて移動する際に第１規制部により第１レンズ群が規制されて停止した時点で第１挿入片から離脱するように形成されている、構成を採用することができる。
この構成によれば、第１レンズ群及び第２レンズ群が、光軸方向の一端（前端）に移動して停止した（第１挿入片が第１長孔の一端に当接しかつ第２挿入片が第２長孔の一端に当接した）状態において、第２レンズ群が一方（後方）に向けて移動すると、第１レンズ群はスプリングの付勢力により停止状態を維持し、第２レンズ群の移動の途中から連動片が第１挿入片に係合して第１レンズ群を移動（連動）させる。
また、第１レンズ群及び第２レンズ群が、光軸方向の他端（後端）に移動して停止した（第１挿入片が第１長孔の他端に当接しかつ連動片が第２挿入片に係合した）状態において、第２レンズ群が他方（前方）に向けて移動すると、第１レンズ群はスプリングの付勢力により連動して前方に移動しつつ第１挿入片が第１長孔の一端に当接した時点（前端）で停止し、その後、第２レンズ群のみが（連動片が第１挿入片から離脱して）移動し、第２挿入片が第２長孔の一端に当接した時点（前端）で停止する。
このように、第１レンズ群及び第２レンズ群は、光軸方向に相対的に移動させられて、光軸方向の一端（前端）及び他端（後端）に位置決めされるため、望遠端位置と広角端位置とに容易にズーミングを行うことができ、このレンズ駆動装置が携帯電話機等のモバイルカメラに適用されれば、単なる電子ズームに比べて高画質の画像を得ることができる。
【発明の効果】
【００１１】
上記構成をなすレンズ駆動装置によれば、構造の簡素化、部品点数の削減、低コスト化、小型化等を達成しつつ、ズーミングを行っても高画質の画像が得られ、特に、携帯電話機、携帯型音楽プレーヤ、携帯型パーソナルコンピュータ等に搭載されるのに適したレンズ駆動装置を得ることができる。
【発明を実施するための最良の形態】
【００１２】
以下、本発明の最良の実施形態について、添付図面を参照しつつ説明する。
図１ないし図５は、本発明に係るレンズ駆動装置を備えたカメラユニットの一実施形態を示すものであり、図１はカメラユニットの内部を示す正面図、図２及び図３はカメラユニットと断面図、図４及び図５はレンズ群を示す正面図である。
【００１３】
このレンズ駆動装置は、図１ないし図３に示すように、ハウジングとしてのベース１０及び筒部２０、ベース１０及び筒部２０に両端がそれぞれ結合されたガイド機構としての２つのガイドシャフト３１，３２、ガイドシャフト３１，３２により光軸方向Ｌに移動自在に支持された第１レンズ群４０及び第２レンズ群５０、ベース１０上に固定された第３レンズ群６０、駆動手段としての間欠連動機構の一部をなすコイルスプリング７０等を備えている。
そして、ベース１０には、ＣＣＤ等の撮像素子１００，ガラスフィルタ１１０、基板１２０等が設けられており、これらの部品と前述のレンズ駆動装置により、カメラユニットが構成されている。
【００１４】
ベース１０は、図１ないし図３に示すように、略矩形に形成され、その中央において開口部１０ａ、開口部１０ａの前方から順に形成された，レンズＧ３の取り付け部１１，ガラスフィルタ１１０の取り付け部１２，及び撮像素子１００の取り付け部１３、ガイドシャフト３１，３２の一端を嵌合する嵌合穴１４、筒部２０の後端を嵌合する嵌合溝１５、ネジ穴１６等を備えている。
【００１５】
筒部２０は、図１ないし図３に示すように、光軸方向Ｌに伸長し輪郭が略直方体をなすように形成され、前端において被写体光を通す開口部２０ａ、後端においてベース１０の嵌合溝１５に嵌合される嵌合部２０ｂ、前端壁に設けられてガイドシャフト３１，３２の他端を嵌合させる嵌合孔２１、側壁において光軸方向Ｌに伸長するように形成された第１規制部としての第１長孔２２及び第２規制部としての第２長孔２３、ネジＢを通して締結する締結部２４等を備えている。
【００１６】
第１レンズ群４０は、図１ないし図４に示すように、レンズＧ１を保持するレンズ枠４１、ガイドシャフト３１を摺動自在に嵌合させる２つの嵌合孔４２、ガイドシャフト３２を摺動自在に嵌合させる１つのＵ字溝４３、光軸方向Ｌに垂直な径方向に伸長して形成され第１長孔２２に挿入される第１挿入片４４、コイルスプリング７０の一端を受ける受け部４５等を備えている。
【００１７】
第１挿入片４４は、第１長孔２２の前端２２ａに当接し後端２２ｂに当接しないように、第１長孔２２の長さが第１レンズ群４０の光軸方向Ｌにおけるストロークよりも若干長めに形成されている。
すなわち、第１レンズ群４０は、ガイドシャフト３１，３２により光軸方向Ｌに移動自在に案内され、第１挿入片４４が第１長孔２２の前端２２ａに当接することにより、移動範囲の前端位置が規定され、第１挿入片４４が第１長孔２２の後端２２ｂに当接するよりも前の位置が移動範囲の後端位置に対応するようになっている。
【００１８】
第２レンズ群５０は、図１ないし図３、図５に示すように、光軸方向Ｌにおいて第１レンズ群４０よりも後方に配置され、レンズＧ２を保持するレンズ枠５１、ガイドシャフト３１を摺動自在に嵌合させる２つの嵌合孔５２、ガイドシャフト３２を摺動自在に嵌合させる１つのＵ字溝５３、光軸方向Ｌに垂直な径方向に伸長して形成され第２長孔２３に挿入される第２挿入片５４、コイルスプリング７０の他端を受ける受け部５５、第１挿入片４４の一部に前方から離脱自在に当接して第１レンズ群４０を連動させ連動片５６、第２挿入片５４を伸長したその先端領域に形成された操作片５７等を備えている。
【００１９】
第２挿入片５４は、第２長孔２３の前端２３ａ及び後端２３ｂに当接するように、第２長孔２３の長さが第２レンズ群５０の光軸方向Ｌにおけるストロークと同一の長さ、すなわち、第２長孔２３が第２レンズ群５０のストロークを規定するように形成されている。
すなわち、第２レンズ群５０は、ガイドシャフト３１，３２により光軸方向Ｌに移動自在に案内され、第２挿入片５４が第２長孔２３の前端２３ａに当接することにより、移動範囲の前端位置が規定され、第２挿入片５４が第２長孔２３の後端２３ｂに当接することにより、移動範囲の後端位置が規定されるようになっている。
【００２０】
また、連動片５６は、第２レンズ群５０が前端位置（第２挿入片５４が第２長孔２３の前端２３ａに当接した位置）から後端位置に向けて移動するとき、そのストロークの途中において第１挿入片４４の一部に前方から係合し、その係合時点から第１レンズ群４０を連動させて後方に向けて移動させると共に、第２レンズ群５０が後端位置（第２挿入片５４が第２長孔２３の後端２３ｂに当接した位置）から前端位置に向けて移動するとき、そのストロークの途中において第１挿入片４４の一部から前方に向けて離脱して、第１レンズ群４０の連動を解除するようになっている。
このように、連動片５６は、筒部２０の内側において、第１挿入片４４の一部に対して係合及び離脱するように形成されている、すなわち、連動片５６が係合する第１レンズ群４０の被係合片として第１挿入片４４が兼用されているため、専用の被係合片を設ける場合に比べて、構造を簡素化でき、装置を小型化することができる。
操作片５７は、第２挿入片５４を筒部２０の外部に突出させるように伸長させその先端領域に一体的に形成されている。すなわち、第２挿入片５４が操作片５７を兼ねるように形成されているため、構造を簡素化でき、装置を小型化することができる。
【００２１】
上記のように、筒部２０、第１レンズ群４０及び第２レンズ群５０の関係においては、筒部２０に対して第１規制部及び第２規制部としての第１長孔２２及び第２長孔２３を設け、第１長孔２２及び第２長孔２３に挿入される第１挿入片４４及び第２挿入片５４を第１レンズ群４０及び第２レンズ群５０に設けたことにより、特別の部材を設ける必要がなく、部品点数を削減して、構造を簡素化できる。
【００２２】
第３レンズ群６０は、図２及び図３に示すように、ベース１０の取り付け部１１に固定されたレンズＧ３のみからなる。すなわち、第３レンズ群６０は、光軸方向Ｌにおいて所定位置に固定されている。
コイルスプリング７０は、図２及び図３に示すように、第１レンズ群４０の受け部４５と第２レンズ群５０の受け部５５の間に圧縮した状態で取り付けられており、第１レンズ群４０及び第２レンズ群５０を光軸方向Ｌにおいてお互いに離隔させるように付勢力を及ぼしている。
【００２３】
上記構成においては、第１レンズ群４０及び第２レンズ群５０の間に配置されたコイルスプリング７０、第１レンズ群４０のストロークを所定範囲に規制する第１長孔２２及び第１挿入片４４、第２レンズ群５０のストロークを第１レンズ群４０のストロークよりも長い所定範囲に規制する第２長孔２３及び第２挿入片５４、第１レンズ群４０を部分的に第１レンズ群５０の移動に連動させる連動片５６、駆動力を及ぼす操作片５７等により、第２レンズ群５０が光軸方向Ｌに移動する際に、第１レンズ群４０を第２レンズ群５０に間欠的に追随させて連動させる間欠連動機構が構成されている。
このように、間欠連動機構を、簡単な構造にしたことにより、部品点数を削減でき、装置の簡素化、小型化、低コスト化等を達成することができる。
【００２４】
次に、上記装置の動作について図２及び図３を参照しつつ説明する。
先ず、図２に示すように、第１レンズ群４０及び第２レンズ群５０が光軸方向Ｌの前端位置に位置するとき、第１挿入片４４は第１長孔２２の前端２２ａに当接し、第２挿入片５４は第２長孔２３の前端２３ａに当接した状態にある。
このとき、第２レンズ群５０には、操作片５７を介して及ぼされる駆動力により前方に向けて付勢されており、第１レンズ郡４０は、コイルスプリング７０により及ぼされる付勢力により前方に向けて付勢されている。また、連動片５６は、第１挿入片４４から離脱した前方の位置に位置している。
【００２５】
この状態において、操作片５７に対し後方に向けて駆動力が及ぼされると、第２レンズ群５０がガイドシャフト３１，３２に沿って光軸方向Ｌの後方に向けて移動し始める。このとき、第１レンズ群４０は、コイルスプリング７０の付勢力により前端位置に保持されて停止している。
【００２６】
そして、第２レンズ群５０が所定量だけ後方に移動すると、連動片５６が第１挿入片４４の前方に当接し、さらに第２レンズ群５０が移動すると（第２レンズ群５０の後方への移動の途中から）、第１レンズ群４０が第２レンズ群５０に追随して後方に移動し始める。このとき、第１レンズ群４０は、コイルスプリング７０の付勢力により前方に向けて付勢されているため、ガタツキ無く第２レンズ群５０に追随する。
【００２７】
そして、第２挿入片５４が第２長孔２３の後端２３ｂに当接して停止し、第２レンズ群５０が光軸方向Ｌの後端位置に位置付けられると、第１レンズ群４０も同時に停止する。このとき、第１挿入片４４は第１長孔２２の後端２２ｂに当接する直前の位置に停止して非接触の状態にあると共に、連動片５６と第１挿入片４４とはコイルスプリング７０の付勢力により係合状態に保持されている。したがって、第１レンズ群４０は、第２レンズ群５０を介して光軸方向Ｌの後端位置に位置付けられることになる。
【００２８】
一方、第１レンズ群４０及び第２レンズ群５０が、光軸方向Ｌの後端位置にある状態から、操作片５７に対し前方に向けて駆動力が及ぼされると、第２レンズ群５０がガイドシャフト３１，３２に沿って光軸方向Ｌの前方に向けて移動し始める。
すると、第１レンズ群４０は、コイルスプリング７０の付勢力により、第２レンズ群５０に連動して同時に前方に向けて移動し始める。
【００２９】
そして、第１挿入片４４が第１長孔２２の前端２２ａに当接し、第１レンズ群４０が前端位置に停止して位置付けられる。続いて、第２レンズ群５０がさらに前方に移動すると、コイルスプリング７０をさらに圧縮すると共に、連動片５６が第１挿入片４４から前方に離脱し、第２挿入片５４が第２長孔２３の前端２３ａに当接して停止した時点で、第２レンズ群５０は光軸方向Ｌの前端位置に位置付けられる。
【００３０】
このように、第１レンズ群４０及び第２レンズ群５０は、光軸方向Ｌにおいて、お互いに間欠的に連動することにより、光軸方向Ｌにおいて相対的に移動させられるため、例えば、図２に示す位置を望遠端位置、図３に示す位置を広角端位置とすることができ、この両端位置において高画質の望遠画像及び広角画像を得ることができる。
【００３１】
図６は、上記レンズ駆動装置を備えたカメラユニットＵが携帯電話機２００に搭載された実施形態を示すものである。
すなわち、カメラユニットＵは、図６に示すように、本体２１０と表示部２２０を備える携帯電話機２００において、表示部２２０の上方領域に形成された開口部２２１の奥側に収納されている。そして、操作片５７が外部に露出させられると共に、操作片５７は移動範囲の両端で表示部２２０のケースに設けられたロック片（不図示）によりロックされるようになっている。
また、表示部２２０に対して、操作片５７を露出させると共に開口部２２１の奥側にカメラユニットＵを収容した部材を回動自在に取り付け、カメラユニットＵの光軸の向きを表示部２２０に対して変更できるようにしてもよい。
これによれば、小型が要求される携帯電話機２００に対して、望遠撮影及び広角撮影を高画質で行うことができるカメラユニットＵを搭載することができる。
【００３２】
上記実施形態においては、間欠連動機構として、コイルスプリング７０、第１長孔２２及び第１挿入片４４、第２長孔２３及び第２挿入片５４、連動片５６、操作片５７等を採用した場合を示したが、これに限定されるものではなく、一方のレンズ群を他方のレンズ群５０に間欠的に追随させて連動させるものであれば、その他の構成を採用することができる。
【００３３】
上記実施形態においては、第１レンズ群４０及び第２レンズ群５０を備える構成において、第２レンズ群５０を駆動側のレンズ群とし、第１レンズ群４０を第２レンズ群５０に対して連動させられる被動側のレンズ群として、間欠連動機構を採用した場合を示したが、これに限定されるものではなく、逆に、第１レンズ群を駆動側のレンズ群とし、第２レンズ群を第１レンズ群に対して連動させられる被動側のレンズ群として間欠連動機構を採用してもよい。
【００３４】
上記実施形態においては、第１レンズ群４０及び第２レンズ群５０の二つのレンズ群において、両者を相対的に移動させる間欠連動機構を採用した場合を示したが、これに限定されるものではなく、それ以上のレンズ群を備える構成において本発明に係る間欠連動機構を採用してもよい。
上記実施形態においては、第２レンズ群５０に光軸方向Ｌの駆動力を及ぼす駆動部として、手動により操作される操作片５７を採用した場合を示したが、これに限定されるものではなく、リニアアクチュエータ等の駆動源により駆動力が及ぼされる駆動部を採用してもよい。
【００３５】
上記実施形態においては、レンズ駆動装置により第１レンズ群４０及び第２レンズ群５０を広角端位置と望遠端位置の二箇所に相対的に移動させて位置決めする場合を示したが、広角端位置と望遠端位置の間の領域を、従来の電子ズームで補って連続的なズーミングを行うようにしてもよく、又、望遠端位置にある状態で電子ズームを用いてさらに画像を拡大するようにしてもよい。
【産業上の利用可能性】
【００３６】
以上述べたように、本発明のレンズ駆動装置は、構造の簡素化、部品点数の削減、低コスト化、小型化等を達成しつつ、ズーミングを行っても高画質の画像が得られため、携帯電話機、携帯型音楽プレーヤ、携帯型パーソナルコンピュータ等に搭載されるカメラユニットのレンズ駆動装置として適用できるのは勿論のこと、小型化が要求されないその他のカメラユニットにおいても有用である。
【図面の簡単な説明】
【００３７】
【図１】本発明に係るレンズ駆動装置を含むカメラユニットの一実施形態を示すものであり、その内部を示す正面図である。
【図２】図１に示すカメラユニットの断面図である。
【図３】図１に示すカメラユニットの断面図である。
【図４】図１に示すレンズ駆動装置の一部をなす第１レンズ群を示す正面図である。
【図５】図１に示すレンズ駆動装置の一部をなす第２レンズ群を示す正面図である。
【図６】図１に示すカメラユニットを携帯電話機に搭載した実施形態を示す斜視図である。
【符号の説明】
【００３８】
Ｇ１，Ｇ２，Ｇ３  レンズ
Ｌ  光軸方向
１０  ベース（ハウジング）
１０ａ  開口部
１１，１２，１３  取り付け部
１４  嵌合穴
１５  嵌合溝
１６  ネジ穴
２０  筒部（ハウジング）
２０ａ  開口部
２０ｂ  嵌合部
２１  嵌合孔
２２  第１長孔（第１規制部、間欠連動機構）
２２ａ  前端
２２ｂ  後端
２３  第２長孔（第２規制部、間欠連動機構）
２３ａ  前端
２３ｂ  後端
２４  締結部
３１，３２  ガイドシャフト（ガイド機構）
４０  第１レンズ群
４１  レンズ枠
４２  嵌合孔
４３  Ｕ字溝
４４  第１挿入片（間欠連動機構）
４５  受け部
５０  第２レンズ群
５１  レンズ枠
５２  嵌合孔
５３  Ｕ字溝
５４  第２挿入片（間欠連動機構）
５５  受け部
５６  連動片（間欠連動機構）
５７  操作片（駆動部、間欠連動機構）
６０  第３レンズ群
７０  コイルスプリング（間欠連動機構）
１００  撮像素子
１１０  ガラスフィルタ
１２０  基板
２００  携帯電話機
【図１】
2007264528.tif 000003
【図２】
2007264528.tif 000004
【図３】
2007264528.tif 000005
【図４】
2007264528.tif 000006
【図５】
2007264528.tif 000007
【図６】
2007264528.tif 000008